(57)【要約】  本発明は、衣類の洗浄制御方法、洗濯機及び制御システムを提供する。前記方法は、衣類材質識別装置が衣類の素材成分を走査識別して識別データを取得するＳ１と、識別データを分析し、識別データに対応する衣類成分情報を取得するＳ２と、衣類成分情報に基づいて洗浄パラメータを推薦するＳ３と、洗濯機が推薦された洗浄パラメータに基づいて洗浄を実行するＳ４と、を含む。本発明は、衣類の材質を自動的に識別し、衣類の材質に基づいて対応する洗浄パラメータを推薦可能である。よって、洗濯の効率が向上するとともに、衣類がきれいに洗浄されないとの事態や過剰な洗浄による衣類の摩耗が効果的に回避される。【選択図】図１
2018538088.tif 000002
【特許請求の範囲】
【請求項１】
衣類材質識別装置が衣類の素材成分を走査識別して識別データを取得するＳ１と、
識別データを分析し、識別データに対応する衣類成分情報を取得するＳ２と、
衣類成分情報に基づいて洗浄パラメータを推薦するＳ３と、
洗濯機が推薦された洗浄パラメータに基づいて洗浄を実行するＳ４と、を含むことを特徴とする衣類の洗浄制御方法。
【請求項２】
前記ステップＳ３は、
衣類１つ分の衣類成分情報のみを受け付けたか否かを判断し、ＹＥＳの場合には当該衣類成分情報に対応する洗浄パラメータを選択し、ＮＯの場合にはステップＡ２に進むＡ１と、
識別した衣類が混合洗浄に適しているか否かを判断し、ＹＥＳの場合には洗浄要求の最も高い衣類成分情報に対応する洗浄パラメータを選択し、ＮＯの場合には衣類が混合洗浄には適さない旨を提示するＡ２と、を含むことを特徴とする請求項１に記載の衣類の洗浄制御方法。
【請求項３】
識別データと衣類成分情報の対応関係は第１データベースに蓄積されており、前記第１データベースは、洗濯機及び／又はクラウドに設けられ、
衣類成分情報と洗浄パラメータの対応関係は第２データベースに蓄積されており、前記第２データベースは洗濯機及び／又はクラウドに設けられることを特徴とする請求項１に記載の衣類の洗浄制御方法。
【請求項４】
洗濯機がオフラインモードの場合には、洗濯機と衣類材質識別装置が有線又は無線方式でデータ交換を行い、ステップＳ２及びＳ３が洗濯機により実行され、
洗濯機がオンラインモードの場合には、洗濯機が衣類材質識別装置及びクラウドサーバとそれぞれデータ交換を行い、ステップＳ２及びＳ３がクラウドサーバにより実行されることを特徴とする請求項１〜３のいずれかに記載の衣類の洗浄制御方法。
【請求項５】
洗濯機とＡＰＰクライアントが接続されている場合には、ＡＰＰクライアントが衣類材質識別装置及び洗濯機とそれぞれデータ交換を行い、ステップＳ２及びＳ３がＡＰＰクライアントにより実行されるか、或いは、
ＡＰＰクライアントが衣類材質識別装置、洗濯機及びクラウドサーバとデータ交換を行い、ステップＳ２がクラウドにより実行されるとともに、ステップＳ３がＡＰＰクライアントにより実行されることを特徴とする請求項１〜３のいずれかに記載の衣類の洗浄制御方法。
【請求項６】
前記衣類材質識別装置は、小型スペクトラムアナライザであることを特徴とする請求項１に記載の衣類の洗浄制御方法。
【請求項７】
前記小型スペクトラムアナライザは洗濯機の制御パネルに装着されるか、或いは、
小型スペクトラムアナライザは洗濯機の筐体に懸架され、有線又は無線方式で洗濯機とデータ伝送するか、或いは、
前記小型スペクトラムアナライザは携帯型デバイスであり、ＡＰＰクライアントと無線方式でデータ伝送することを特徴とする請求項６に記載の衣類の洗浄制御方法。
【請求項８】
前記洗浄パラメータには、水位、洗浄時間、すすぎ回数、脱水時間、回転速度が含まれることを特徴とする請求項１に記載の衣類の洗浄制御方法。
【請求項９】
請求項１〜８のいずれかに記載の方法を用いる洗濯機において、
前記洗濯機に衣類材質識別装置が装着されるか、或いは、
洗濯機と衣類材質識別装置が有線又は無線方式で接続されることを特徴とする洗濯機。
【請求項１０】
請求項１〜８のいずれかに記載の方法を用いるシステムにおいて、
前記システムは、衣類材質識別装置が接続された洗濯機を含むか、或いは、
前記システムは、クラウドサーバ及び衣類材質識別装置が接続された洗濯機を含むか、或いは、
前記システムは、洗濯機、衣類材質識別装置及びクラウドサーバがそれぞれ接続されたＡＰＰクライアントを含むことを特徴とするシステム。
【発明の詳細な説明】
【技術分野】
【０００１】
本発明は、洗濯機の洗浄分野に関し、特に、衣類の洗浄制御方法、洗濯機及びシステムに関する。
【背景技術】
【０００２】
現在、衣類の洗浄時には衣類の素材に基づいて対応する洗浄プログラムを選択するのが一般的であり、洗浄プログラムごとに、洗浄時間、回転速度、温度、すすぎ回数など異なる洗浄パラメータが設定されている。そのため、適切な洗浄パラメータの場合には迅速且つ効果的に衣類を洗浄可能である一方、不適切な洗浄パラメータの場合には、衣類をきれいに洗浄できないとの事態や、洗浄後に衣類が過度の摩擦により極めて損傷しやすくなるとの事態が招来される。
【０００３】
通常、従来の洗濯機には衣類の素材を判断するような機能は備わっていないため、ユーザ自身で素材を区別し、素材の成分に応じて自主的に洗浄プログラムを選択する必要がある。ただし、一部の洗濯機には素材を大まかに識別する機能が備わっており、投入した衣類の吸水量から、衣類の材質が柔らかいか、普通か、硬いかを判断する。具体的には、洗浄する衣類を洗濯機に投入し、設定した水位まで給水した後、所定の時間だけ衣類を攪拌する。すると、衣類は攪拌過程で一定の水分を吸収するため、設定した水位との差を水位センサで検出すれば、水位の低下量から衣類の材質が判断される。
【０００４】
上記の１つ目のように、衣類の素材に基づいて洗浄の処理方式を選択する場合には、ユーザの自主的な判断が必要とされる。しかし、ユーザによって衣類の素材を判断する能力は異なることから、衣類の素材判断精度は極めて低くなる。また、ユーザが衣類の素材を正確に判断したとしても、素材の種類が多い場合には最適な洗浄パラメータを選択又は設定できない可能性があり、洗濯に不都合となる。
【０００５】
一方、上述した２つ目の方式のように、衣類の吸水量から材質を判断する場合、このような方式は大まかな識別方式にすぎず、且つ、衣類を湿らせてからでなければ判断できない事後処理方式となる。判断に齟齬があった場合には、不正確な方式で衣類を洗浄することになり、場合によっては衣類をきれいに洗浄できないとの事態や、過剰な洗浄により衣類が過度に摩耗するとの事態が生じてしまう。
【０００６】
そこで、衣類の素材識別精度を向上可能であり、且つ、最適な洗浄パラメータをユーザに推薦できる衣類の素材成分を識別可能な洗濯機が早急に必要とされている。
【０００７】
以上に鑑みて、本発明を提案する。
【発明の概要】
【発明が解決しようとする課題】
【０００８】
本発明は、従来技術における瑕疵を解消し、衣類材質識別装置を用いて衣類の素材成分を識別するとともに、識別結果に基づいて最適な洗浄パラメータをユーザに推薦する衣類の洗浄制御方法を提供することを解決すべき技術的課題とする。これによれば、衣類の素材を正確に識別可能となり、ユーザによる洗濯操作が削減され、洗濯の効率が向上するとともに、衣類をきれいに洗浄できないとの事態や過剰な洗浄による衣類の摩耗が回避される。
【０００９】
また、本発明は、上記の方法を用いる洗濯機を提供することを他の目的とする。
【００１０】
また、本発明は、上記の方法を用いるシステムを提供することを更なる目的とする。
【課題を解決するための手段】
【００１１】
本発明は、技術的課題を解決するために以下の技術方案を採用する。
【００１２】
本発明は、衣類材質識別装置が衣類の素材成分を走査識別して識別データを取得するＳ１と、識別データを分析し、識別データに対応する衣類成分情報を取得するＳ２と、衣類成分情報に基づいて洗浄パラメータを推薦するＳ３と、洗濯機が推薦された洗浄パラメータに基づいて洗浄を実行するＳ４と、を含む衣類の洗浄制御方法を提供する。
【００１３】
更に、前記ステップＳ３は、衣類１つ分の衣類成分情報のみを受け付けたか否かを判断し、ＹＥＳの場合には当該衣類成分情報に対応する洗浄パラメータを選択し、ＮＯの場合にはステップＡ２に進むＡ１と、識別した衣類が混合洗浄に適しているか否かを判断し、ＹＥＳの場合には洗浄要求の最も高い衣類成分情報に対応する洗浄パラメータを選択し、ＮＯの場合には衣類が混合洗浄には適さない旨を提示するＡ２と、を含む。
【００１４】
更に、識別データと衣類成分情報の対応関係は第１データベースに蓄積されており、前記第１データベースは、洗濯機及び／又はクラウドに設けられ、衣類成分情報と洗浄パラメータの対応関係は第２データベースに蓄積されており、前記第２データベースは洗濯機及び／又はクラウドに設けられる。
【００１５】
更に、洗濯機がオフラインモードの場合には、洗濯機と衣類材質識別装置が有線又は無線方式でデータ交換を行い、ステップＳ２及びＳ３が洗濯機により実行され、洗濯機がオンラインモードの場合には、洗濯機が衣類材質識別装置及びクラウドサーバとそれぞれデータ交換を行い、ステップＳ２及びＳ３がクラウドサーバにより実行される。
【００１６】
更に、洗濯機とＡＰＰクライアントが接続されている場合には、ＡＰＰクライアントが衣類材質識別装置及び洗濯機とそれぞれデータ交換を行い、ステップＳ２及びＳ３がＡＰＰクライアントにより実行されるか、或いは、ＡＰＰクライアントが衣類材質識別装置、洗濯機及びクラウドサーバとデータ交換を行い、ステップＳ２がクラウドにより実行されるとともに、ステップＳ３がＡＰＰクライアントにより実行される。
【００１７】
更に、前記衣類材質識別装置は小型スペクトラムアナライザである。
【００１８】
更に、前記小型スペクトラムアナライザは洗濯機の制御パネルに装着されるか、或いは、小型スペクトラムアナライザは洗濯機の筐体に懸架され、有線又は無線方式で洗濯機とデータ伝送するか、或いは、前記小型スペクトラムアナライザは携帯型デバイスであり、ＡＰＰクライアントと無線方式でデータ伝送する。
【００１９】
更に、前記洗浄パラメータには、水位、洗浄時間、すすぎ回数、脱水時間、回転速度が含まれる。
【００２０】
更に、本発明は、上記の方法を用いる洗濯機であって、前記洗濯機に衣類材質識別装置が装着されるか、或いは、洗濯機と衣類材質識別装置が有線又は無線方式で接続される洗濯機を提供する。
【００２１】
更に、本発明は、上記の方法を用いるシステムであって、前記システムは、衣類材質識別装置が接続された洗濯機を含むか、或いは、前記システムは、クラウドサーバ及び衣類材質識別装置が接続された洗濯機を含むか、或いは、前記システムは、洗濯機、衣類材質識別装置及びクラウドサーバがそれぞれ接続されたＡＰＰクライアントを含むシステムを提供する。
【発明の効果】
【００２２】
本発明の具体的実施形態により提供される技術方案は、以下の有益な効果を有する。
【００２３】
第一に、衣類材質識別装置を用いて衣類の素材成分を識別するため、手動で衣類の素材を識別する場合や含水量から衣類の材質を判断する場合と比較して、識別精度がより向上する。また、衣類を湿らせてから識別する必要がないため、識別過程に要する時間がより削減され、操作がいっそう簡略化されるとともに、衣類の識別効率が更に向上する。
【００２４】
第二に、衣類の材質に基づいて対応する洗浄パラメータを推薦するため、手動で洗浄パラメータを選択する場合に比べて推薦がより的確となり、当該素材や複数の素材を混合する場合にいっそう適した洗浄パラメータを得ることができる。よって、どの洗浄プログラムを選択すべきかわからないというユーザの悩みが解決されるだけでなく、洗濯の効率がいっそう向上する。したがって、洗浄がより的確となり、衣類がきれいに洗浄されないとの事態や過剰な洗浄による衣類の摩耗が効果的に回避される。
【００２５】
本発明における具体的実施形態の技術方案をより明確に説明すべく、以下に、具体的実施形態で使用を要する図面について簡単に述べる。なお、いうまでもなく、以下で記載する図面は本発明における実施例の一部にすぎず、当業者であれば、創造的労働を要さないことを前提に、これらの図面から更にその他の図面を得ることが可能である。
【図面の簡単な説明】
【００２６】
【図１】図１は、本発明の実施例で提供する衣類の洗浄制御方法のフローチャートである。
【図２】図２は、本発明の実施例１で提供する洗濯機のオフラインモードにおける衣類の洗浄制御方法のフローチャートである。
【図３】図３は、本発明の実施例２で提供する洗濯機のオンラインモードにおける衣類の洗浄制御方法のフローチャートである。
【図４】図４は、本発明の実施例３で提供する洗濯機にＡＰＰモードが接続されている場合の衣類の洗浄制御方法のフローチャートである。
【図５】図５は、本発明の実施例４で提供する洗濯機である。
【図６】図６は、本発明の実施例５で提供するシステムである。
【図７】図７は、本発明の実施例６で提供する他のシステムである。
【図８】図８は、本発明の実施例６で提供する他のシステムである。
【図９】図９は、本発明の実施例７で提供する他のシステムである。
【図１０】図１０は、本発明の実施例７で提供する他のシステムである。
【発明を実施するための形態】
【００２７】
図１に示すように、本発明は、以下のステップを含む衣類の洗浄制御方法を提供する。
【００２８】
ステップ１０１：衣類材質識別装置が衣類の素材成分を走査識別して識別データを取得する。
【００２９】
衣類材質識別装置としては、小型スペクトラムアナライザが可能である。検出原理として、小型スペクトラムアナライザは検出対象物質に近赤外線を照射し、検出対象物質内の活性分子を検出する。続いて、分子振動反射光の光線を分析することで、光線独自の光学的特徴から材料分子の化学成分組成を識別し、特定する。具体的には、検出対象物質から放出された近赤外線についてデータを収集し、濾波器で濾過した後に、相応の増幅器を経由して相応のプロセッサに送信し、処理する。そして、処理したデータを相応のアルゴリズムで分析し、最終的に識別データとして分析済みのデータを取得する。
【００３０】
通常のスペクトラムアナライザと比較して、小型スペクトラムアナライザにはモジュール化及び高速収集との特徴がある。また、体積が小さく、より柔軟にスペクトルシステムを構築可能である。そのため、小型スペクトラムアナライザは洗濯機の制御パネルに直接装着可能であり、ユーザが洗浄前に洗濯待ちの衣類を当該装置の前方に置けば、小型スペクトラムアナライザによって衣類の素材成分が走査識別され、識別データが取得される。このとき、衣類を１つ走査するごとに対応する識別データを取得可能である。
【００３１】
好ましくは、小型スペクトラムアナライザは洗濯機の筐体に懸架し、有線又は無線方式で洗濯機とデータ伝送するようにしてもよい。
【００３２】
より好ましくは、小型スペクトラムアナライザは携帯型デバイスとし、洗濯機とＡＰＰ（Ａｐｐｌｉｃａｔｉｏｎ）クライアントが接続された場合に、小型スペクトラムアナライザとＡＰＰクライアントが無線方式でデータ伝送を行うようにしてもよい。
【００３３】
取得した識別データについては、小型スペクトラムアナライザが洗濯機の端末制御装置に直接送信して分析してもよいし、洗濯機の無線モジュールを介してクラウドにアップロードし、分析してもよい。また、ＡＰＰクライアントに送信し、ＡＰＰクライアントにより直接分析するか、或いは、ＡＰＰクライアントからクラウドに送信して分析してもよい。
【００３４】
ステップ１０２：識別データを分析し、識別データに対応する衣類成分情報を取得する。
【００３５】
衣類成分情報には、綿布、麻布、絹織物、羽毛、毛織物、レザー、化学繊維、混紡、マーセライズコットン、シフォン、マルベリーシルク、ビスコース、アセテート繊維、ポリエステル、改質ポリプロピレン、ポリプロピレン、スパンデックス、ビニロン、純麻織物、カラムシ、麻混織物、パレス、ギャバジン、プラッシュ、メルトン、カシミヤ、ドリル、モヘア、綿・麻混紡、ポリエステル・麻混紡、絹糸、本絹、テンセル、アクリル、ポリエステル・綿混紡、ポリエステル・絹混紡のうちの少なくとも一つが含まれる。
【００３６】
識別データと衣類成分情報は対応しており、その対応関係が第１データベースに蓄積されている。第１データベースは、洗濯機及び／又はクラウドに設けられる。
【００３７】
具体的に、洗濯機がオフラインモードの場合、小型スペクトラムアナライザは識別データを洗濯機に送信すればよい。洗濯機には第１データベースが設けられているため、洗濯機は識別データを直接分析して、第１データベースから識別データに対応する衣類成分情報を検索可能である。
【００３８】
洗濯機がオンラインモードの場合、小型スペクトラムアナライザは洗濯機の無線通信モジュールを介して識別データをクラウドに送信すればよい。クラウドには第１データベースが設けられているため、クラウドは識別データを分析して、第１データベースから識別データに対応する衣類成分情報を検索可能である。
【００３９】
更に、洗濯機とＡＰＰクライアントが接続された場合、小型スペクトラムアナライザは識別データをＡＰＰクライアントに送信してもよい。ＡＰＰクライアントは、識別データを直接分析して衣類成分情報を取得するか、或いは、ＡＰＰクライアントが識別データをクラウドに転送し、クラウドにより識別データを分析して、取得した衣類成分情報をＡＰＰクライアントに送信する。
【００４０】
ステップ１０３：衣類成分情報に基づいて洗浄パラメータを推薦する。
【００４１】
洗浄パラメータには、水位、洗浄時間、すすぎ回数、脱水時間、回転速度が含まれる。好ましくは、洗浄パラメータには温度と残り時間が更に含まれる。
【００４２】
各衣類成分情報には一組の洗浄パラメータが対応付けられている。例えば、衣類成分情報が綿布の場合、これに対応する洗浄パラメータは、洗浄時間１５分、すすぎ回数３回、脱水時間３分、温度４０℃、回転速度１０００ｒｐｍとなる。
【００４３】
このうち、残り時間とは、洗濯機が洗浄機能の実行に要する総時間のことをいう。洗濯機が洗浄を開始すると、当該残り時間が洗濯機の表示インターフェースに表示されてカウントダウンが実施される。洗浄過程の進捗とともに、当該残り時間は洗浄完了を示す０となるまで減少を続ける。
【００４４】
洗濯機がオフラインモードの場合、当該ステップは洗濯機により直接実行され、洗濯機がオンラインモードの場合、当該ステップはクラウドにより実行される。また、洗濯機とＡＰＰクライアントが接続されている場合、当該ステップはＡＰＰクライアントにより実行される。
【００４５】
具体的には、次のステップにより実現される。
【００４６】
Ａ１：衣類１つ分の衣類成分情報のみを受け付けたか否かを判断し、ＹＥＳの場合には当該衣類成分情報に対応する洗浄パラメータを選択する。また、ＮＯの場合にはステップＡ２に進む。
【００４７】
衣類１つ分の衣類成分情報のみを受け付けた場合には、衣類同士を混合洗浄可能か否かといった状況は存在しないため、当該衣類成分情報に対応する洗浄パラメータをそのまま選択すればよい。好ましくは、当該衣類成分情報に対応する洗浄パラメータが複数組存在する場合には、ビッグデータに基づいて最適な洗浄パラメータを一組選択してもよいし、ユーザの洗濯履歴からユーザにとって最適な洗浄パラメータを一組設定してもよい。
【００４８】
衣類成分情報と洗浄パラメータの対応関係は第２データベースに蓄積されている。第２データベースは、洗濯機及び／又はクラウドに設けられる。
【００４９】
Ａ２：識別した衣類が混合洗浄に適しているか否かを判断し、ＹＥＳの場合には洗浄要求の最も高い衣類成分情報に対応する洗浄パラメータを選択する。また、ＮＯの場合には、衣類が混合洗浄には適さない旨を提示する。
【００５０】
衣類が混合洗浄に適しているか否かは、衣類の材質の洗浄要求を判断基準とする。洗浄要求が高いほど洗浄強度は低くなり、対応するパラメータ設定もより低くなるのが一般的である。例えば、シルク材質の衣類とポリエステル・麻混紡材質の衣類を比較すると、各洗浄パラメータは表１のようになる。
【００５１】
【表１】
2018538088.tif 000003
【００５２】
表１から明らかなように、シルク材質の衣類はポリエステル・麻混紡材質の衣類と比べて洗浄時に破損しやすいため、洗浄要求が高くなっている。この点は、洗浄時間要求の短さ、温度設定要求が加熱不可であること、及び回転速度設定要求が脱水不可であることに表れている。そのため、洗浄時にこれら２種類の材質の衣類を混合した場合、洗浄強度が弱すぎるとポリエステル・麻混紡系の衣類がきれいに洗浄されず、洗浄強度が強すぎるとシルク系の衣類が過度に摩耗して破損するとの事態が容易に招来される。よって、これら２種類の材質の衣類は混合洗浄不可能であると判断される。
【００５３】
具体的には、洗浄要求に基づいて、第２データベースにはデータテーブルが予め設けられている。当該データテーブルには、互いに混合洗浄不可能となる条件（例えば、シルク材質とポリエステル・麻混紡材質は混合洗浄不可など）が蓄積されており、受け付けた複数の衣類成分情報のうち任意の２つが当該データテーブルに記録されている混合洗浄不可能条件を満たしていれば、衣類の混合洗浄が不可能な旨をユーザに対し提示する。
【００５４】
好ましくは、衣類の混合洗浄が不可能な旨を提示する方式として、洗濯機の表示インターフェース上で対応するパイロットランプを点滅させてもよいし、現在の衣類は混合洗浄不可能な旨を音声でユーザに提示してもよいし、現在の衣類は混合洗浄不可能な旨を対応する音楽でユーザに提示してもよい。
【００５５】
更に、衣類が混合洗浄可能な場合には、洗浄要求の最も高い衣類成分情報に対応する洗浄パラメータが選択される。例えば、綿材質の衣類と化学繊維材質の衣類を混合洗浄する場合、各洗浄パラメータは表２のようになる。
【００５６】
【表２】
2018538088.tif 000004
【００５７】
表２より、これら材質の衣類は洗浄パラメータに大差がなく、混合洗浄可能であることがわかる。しかし、化学繊維混紡材質のほうが洗浄耐性に劣るため、洗浄要求は高くなっており、衣類の破損を防止すべく、洗浄温度と脱水回転速度はあまり高く設定できない。そのため、洗浄パラメータとしては化学繊維混紡材質に対応するものが選択される。これによれば、衣類をきれいに洗浄しつつ、過剰な洗浄による衣類の破損を回避可能となる。
【００５８】
ステップ１０４：洗濯機が、推薦された洗浄パラメータに基づいて洗浄を実行する。
【００５９】
具体的には、洗濯機自身が洗浄パラメータを推薦してもよいし、クラウドから送信された洗浄パラメータを受け付けてもよいし、ＡＰＰクライアントから送信された洗浄パラメータを受け付けてもよい。洗濯機のアクチュエータは、当該洗浄パラメータに基づいて洗浄を実行する。
【００６０】
実施例１
【００６１】
図２に示すように、本実施例は衣類の洗浄制御方法を提供する。当該方法は洗濯機側がオフラインモードの場合に応用されるものであり、以下のステップを含む。
【００６２】
ステップ２０１：衣類材質識別装置が衣類の素材成分を走査識別して識別データを取得する。
【００６３】
ステップ２０２：衣類材質識別装置が識別データを洗濯機に送信する。
【００６４】
ステップ２０３：洗濯機が識別データを分析し、識別データに対応する衣類成分情報を取得する。
【００６５】
ステップ２０４：洗濯機が、衣類１つ分の衣類成分情報のみを受け付けたか否かを判断する。そして、ＹＥＳの場合にはステップ２０５に進み、ＮＯの場合にはステップ２０６に進む。
【００６６】
ステップ２０５：洗濯機が、当該衣類成分情報に対応する洗浄パラメータを選択して洗浄する。
【００６７】
ステップ２０６：洗濯機が、識別した衣類が混合洗浄に適しているか否かを判断する。  そして、ＹＥＳの場合にはステップ２０７に進み、ＮＯの場合にはステップ２０８に進む。
【００６８】
ステップ２０７：洗濯機が、洗浄要求の最も高い衣類成分情報に対応する洗浄パラメータを選択して洗浄する。
【００６９】
ステップ２０８：洗濯機が、混合洗浄に適さない衣類を取り出すよう提示する。
【００７０】
実施例２
【００７１】
図３に示すように、本実施例は衣類の洗浄制御方法を提供する。当該方法は洗濯機側がオンラインモードの場合に応用されるものであり、洗濯機は、衣類材質識別装置及びクラウドに接続される。また、当該方法は以下のステップを含む。
【００７２】
ステップ３０１：衣類材質識別装置が、衣類の素材成分を走査識別して識別データを取得する。
【００７３】
ステップ３０２：衣類材質識別装置が識別データをクラウドに送信する。
【００７４】
ステップ３０３：クラウドが識別データを分析し、識別データに対応する衣類成分情報を取得する。
【００７５】
ステップ３０４：クラウドが、衣類１つ分の衣類成分情報のみを受け付けたか否かを判断する。そして、ＹＥＳの場合にはステップ３０５に進み、ＮＯの場合にはステップ３０６に進む。
【００７６】
ステップ３０５：クラウドが、当該衣類成分情報に対応する洗浄パラメータを選択して洗濯機に送信する。具体的には、当該ステップの実行が完了すると、そのままステップ３０８に進む。
【００７７】
ステップ３０６：クラウドが、識別した衣類が混合洗浄に適しているか否かを判断する。そして、ＹＥＳの場合にはステップ３０７に進み、ＮＯの場合にはステップ３０９に進む。
【００７８】
ステップ３０７：クラウドが、洗浄要求の最も高い衣類成分情報に対応する洗浄パラメータを選択して洗濯機に送信する。
【００７９】
ステップ３０８：洗濯機が、洗浄パラメータを受け付けた後に洗浄を実行する。
【００８０】
ステップ３０９：クラウドが、衣類が混合洗浄に適さない旨を提示するとともに、提示メッセージを洗濯機に送信する。
【００８１】
ステップ３１０：洗濯機が、混合洗浄に適さない衣類を取り出すよう提示する。
【００８２】
実施例３
【００８３】
図４に示すように、本実施例は衣類の洗浄制御方法を提供する。洗濯機は、有線又は無線方式でＡＰＰクライアントに接続され、ＡＰＰクライアントはクラウド及び衣類材質識別装置にそれぞれ接続される。また、当該方法は以下のステップを含む。
【００８４】
ステップ４０１：衣類材質識別装置が衣類の素材成分を走査識別して識別データを取得する。
【００８５】
ステップ４０２：衣類材質識別装置が識別データをＡＰＰクライアントに送信する。
【００８６】
ステップ４０３：ＡＰＰクライアントが識別データをクラウドにアップロードし、クラウドが識別データを分析するとともに、識別データに対応する衣類成分情報を取得する。
【００８７】
ステップ４０４：クラウドが、衣類成分情報をＡＰＰクライアントにフィードバックする。
【００８８】
ステップ４０５：ＡＰＰクライアントが、衣類１つ分の衣類成分情報のみを受け付けたか否かを判断する。そして、ＹＥＳの場合にはステップ４０６に進み、ＮＯの場合にはステップ４０７に進む。
【００８９】
ステップ４０６：ＡＰＰクライアントが、当該衣類成分情報に対応する洗浄パラメータを選択して洗濯機に送信する。
【００９０】
具体的に、ＡＰＰクライアントは、フィードバックされた衣類成分情報に基づいて第２データベースを検索し、衣類成分情報に対応する洗浄パラメータを取得する。当該第２データベースは、洗濯機のローカルに設けてもよいし、クラウドに設けてもよいし、ＡＰＰクライアントに設けてもよい。
【００９１】
更に、当該ステップの実行が完了すると、そのままステップ４０９に進む。
【００９２】
ステップ４０７：ＡＰＰクライアントが、識別した衣類が混合洗浄に適しているか否かを判断する。そして、ＹＥＳの場合にはステップ４０８に進み、ＮＯの場合にはステップ４１０に進む。
【００９３】
ステップ４０８：ＡＰＰクライアントが、洗浄要求の最も高い衣類成分情報に対応する洗浄パラメータを選択して洗濯機に送信する。
【００９４】
具体的に、ＡＰＰクライアントは、フィードバックされた衣類成分情報に基づいて第２データベースを検索し、第２データベースから洗浄要求の最も高い衣類成分情報に対応する洗浄パラメータを取得する。第２データベースは、洗濯機のローカルに設けてもよいし、クラウドに設けてもよいし、ＡＰＰクライアントに設けてもよい。
【００９５】
ステップ４０９：洗濯機が、洗浄パラメータを受け付けた後に洗浄を実行する。
【００９６】
ステップ４１０：ＡＰＰクライアントが、衣類が混合洗浄に適さない旨を提示するとともに、提示メッセージを洗濯機に送信する。
【００９７】
ステップ４１１：洗濯機が、混合洗浄に適さない衣類を取り出すよう提示する。
【００９８】
実施例４
【００９９】
図５に示すように、本実施例は洗濯機を提供する。当該洗濯機には衣類材質識別装置が装着されており、当該衣類材質識別装置は、衣類の素材を識別して識別データを取得可能である。洗濯機は、当該識別データを分析して具体的な衣類成分情報を取得し、対応する洗浄パラメータを推薦することが可能である。これによれば、衣類の素材成分の識別精度を向上可能であり、ユーザの操作が簡略化されるとともに、ユーザに対し最適な洗浄パラメータを推薦可能となる。よって、ユーザが不適切な洗浄プログラムを選択することで招来される衣類がきれいに洗浄されないとの事態や、衣類の過剰な洗浄による摩耗の発生が回避される。
【０１００】
好ましくは、当該衣類材質識別装置は小型スペクトラムアナライザとする。小型スペクトラムアナライザにはモジュール化及び高速収集との特徴があるほか、体積が小さく、より柔軟にスペクトルシステムを構築可能である。そのため、小型スペクトラムアナライザは洗濯機の制御パネルに直接装着可能であり、使用時には、ユーザが洗浄前に洗濯待ちの衣類を当該装置の前方に置けば、小型スペクトラムアナライザによって衣類の素材成分が走査識別され、識別データが取得される。このとき、衣類を１つ走査するごとに対応する識別データを取得可能である。
【０１０１】
好ましくは、小型スペクトラムアナライザは洗濯機の筐体に懸架し、有線又は無線方式で洗濯機とデータ伝送するようにしてもよい。
【０１０２】
より好ましくは、小型スペクトラムアナライザは携帯型デバイスとし、洗濯機とＡＰＰクライアントが接続された場合に、小型スペクトラムアナライザとＡＰＰクライアントが無線方式でデータ伝送を行うようにしてもよい。
【０１０３】
ネットワーク接続可能な洗濯機には、クラウドサーバとデータ伝送するための通信モジュールを更に設置してもよい。
【０１０４】
実施例５
【０１０５】
図６に示すように、本実施例はシステムを提供する。当該システムは、衣類の材質を識別するとともに、識別結果に基づいて最適な洗浄パラメータを自動的に推薦可能である。具体的に、当該システムは、衣類材質識別装置と洗濯機を含み、これらの間でデータ交換が可能となっている。
【０１０６】
当該衣類材質識別装置は、衣類の素材成分を走査識別して識別データを取得するとともに、当該識別データを洗濯機に送信して分析させることが可能である。洗濯機は、第１データベースから当該識別データに対応する衣類成分情報を検索し、当該衣類成分情報に基づいて第２データベースから対応する洗浄パラメータを検索する。そして、演算分析を経て推薦すべき洗浄パラメータを取得すると、洗濯機は当該推薦すべき洗浄パラメータに基づいて洗浄を実行する。
【０１０７】
第１データベースと第２データベースは、洗濯機のローカルに設けてもよい。
【０１０８】
実施例６
【０１０９】
図７及び図８に示すように、実施例はシステムを提供する。当該システムは、衣類の材質を識別するとともに、識別結果に基づいて最適な洗浄パラメータを自動的に推薦可能である。具体的に、当該システムは、衣類材質識別装置、洗濯機及びクラウドサーバを含む。洗濯機には通信モジュールが設けられ、通信モジュールを介して衣類材質識別装置及びクラウドサーバとそれぞれデータ交換可能である。
【０１１０】
当該衣類材質識別装置は、衣類の素材成分を走査識別して識別データを取得するとともに、当該識別データを洗濯機上の通信モジュールを介してクラウドサーバに送信可能である。クラウドサーバは、第１データベースから当該識別データに対応する衣類成分情報を検索し、当該衣類成分情報に基づいて第２データベースから対応する洗浄パラメータを検索する。そして、演算分析を経て推薦すべき洗浄パラメータを取得すると、当該推薦すべき洗浄パラメータを洗濯機に送信して洗浄を実施させる。
【０１１１】
好ましくは、図７に示すように、衣類材質識別装置は洗濯機に設けてもよい。更に好ましくは、図８に示すように、衣類材質識別装置を携帯型デバイスとし、有線又は無線方式で洗濯機と接続してデータを洗濯機に伝送するようにしてもよい。
【０１１２】
クラウドサーバは、衣類成分分析サーバと衣類ケアサーバを含み、第１データベースを衣類成分分析サーバに設けるとともに、第２データベースを衣類ケアサーバに設けてもよい。
【０１１３】
実施例７
【０１１４】
図９及び図１０に示すように、実施例はシステムを提供する。当該システムは、衣類の材質を識別するとともに、識別結果に基づいて最適な洗浄パラメータを自動的に推薦可能である。具体的に、当該システムは、衣類材質識別装置、洗濯機及びクラウドサーバがそれぞれ接続されてデータ交換を行うＡＰＰクライアントを含む。
【０１１５】
当該衣類材質識別装置は、衣類の素材成分を走査識別して識別データを取得するとともに、当該識別データをＡＰＰクライアントに送信可能である。ＡＰＰクライアントは、第１データベースから当該識別データに対応する衣類成分情報を検索し、当該衣類成分情報に基づいて第２データベースから対応する洗浄パラメータを検索する。そして、演算分析を経て推薦すべき洗浄パラメータを取得すると、当該推薦すべき洗浄パラメータを洗濯機に送信して洗浄を実施させる。
【０１１６】
好ましくは、図９に示すように、衣類材質識別装置は洗濯機に設置して、洗濯機上の通信モジュールを介してＡＰＰクライアントとデータ交換可能としてもよい。更に好ましくは、図１０に示すように、衣類材質識別装置を携帯型デバイスとし、有線又は無線方式でＡＰＰクライアントに直接接続してデータをＡＰＰクライアントに伝送するようにしてもよい。
【０１１７】
クラウドサーバは、衣類成分分析サーバと衣類ケアサーバを含み、第１データベースをＡＰＰクライアント又は衣類成分分析サーバに設けるとともに、第２データベースをＡＰＰクライアント又は衣類ケアサーバに設けてもよい。
【０１１８】
以上は本発明の好ましい実施例にすぎず、本発明を何らかの形式に限定するものではない。本発明については好ましい実施例によって上記のように開示したが、本発明を限定するとの主旨ではなく、本発明の技術方案を逸脱しない範囲において、当業者が上述した技術内容を用いて行うわずかな変形或いは補足は、同等に変形された等価の実施例とみなされる。本発明の技術方案の内容を逸脱することなく、本発明の技術的本質に基づいて上記の実施例に加えられる簡単な補正、同等の変形及び補足は、いずれも本発明の方案の範囲内とされる。
【図１】
2018538088.tif 000005
【図２】
2018538088.tif 000006
【図３】
2018538088.tif 000007
【図４】
2018538088.tif 000008
【図５】
2018538088.tif 000009
【図６】
2018538088.tif 000010
【図７】
2018538088.tif 000011
【図８】
2018538088.tif 000012
【図９】
2018538088.tif 000013
【図１０】
2018538088.tif 000014
【国際調査報告】
2018538088.tif 000015
2018538088.tif 000016
2018538088.tif 000017
2018538088.tif 000018
2018538088.tif 000019